(57)【要約】【課題】狭いスペースに設置することができ、しかも外観上の美観を向上させることのできる電力量計用通信装置を提供する。【解決手段】電力量計１の通信端子６から出力される計量データを外部に伝送するための伝送信号入出力回路基板２０が収納された第１ケース２２と、通信端子６から伝送信号入出力回路基板２０に計量データを送る第１ケーブル１２と、電源回路基板２１が収納された第２ケース２３と、電力量計１の引込み側配電線用端子７と電源回路基板２１とを接続する第２ケーブル１３と、電源回路基板２１と伝送信号入出力回路基板２０とを接続する第３ケーブル１４と、第１ケース２２と第２ケース２３とを固定する固定具２４とを有し、電力量計１の設置面に対する第１側面側に第１ケース２２を配置し、第１側面に対向する第２側面側に第２ケース２３を配置し、第１側面と第２側面とを連結する第３面側に固定具２４を配置した。【選択図】      図１
2006275792.tif 000002
【特許請求の範囲】
【請求項１】
使用電力量を計量する電力量計の通信端子から出力される計量データを外部に伝送する電力量計用通信装置であって、
前記電力量計で計量された計量データを外部に伝送するための伝送信号入出力部が収納された第１ケースと、
前記電力量計の通信端子から前記第１ケースに収納された伝送信号入出力部に前記計量データを送る第１ケーブルと、
電源部が収納された第２ケースと、
前記電力量計の引込み側配電線用端子と前記第２ケースに収納された電源部とを接続する第２ケーブルと、
前記第２ケースに収納された電源部と前記第１ケースに収納された伝送信号入出力部とを接続する第３ケーブルと、
前記第１ケースと前記第２ケースとを固定する固定具とを有し、
前記電力量計の設置面に対する前記電力量計の第１側面側に前記第１ケースを配置し、前記第１側面に対向する前記電力量計の第２側面側に前記第２ケースを配置し、前記第１ケースと前記第２ケースとを連結可能な面に前記固定具を配置したことを特徴とする電力量計用通信装置。
【請求項２】
前記固定具は、前記第１ケースと第２ケースとを結ぶ線上に固定具内空洞を有し、
前記第１ケース及び前記第２ケースの各々は、前記電力量計の第１側面及び第２側面側に突出するように設けられた固定具接続部を有し、
前記固定具接続部の少なくとも１つは、前記固定具内空洞の内部を摺動可能に構成されていることを特徴とする請求項１記載の電力量計用通信装置。
【請求項３】
前記固定具接続部は、先端に突起部を有する弾性体を更に備え、
前記固定具は、前記突起部を収容する穴を有し、
前記第１ケース及び第２ケースは、前記固定具接続部が前記固定具の固定具内空洞で摺動された後、前記固定具接続部に設けられた突起部が前記固定具の穴に収容されることにより、前記固定具に結合されることを特徴とする請求項２記載の電力量計用通信装置。
【請求項４】
前記第１ケース及び前記第２ケースの各々は、前記電力量計の第１側面及び第２側面側に突出するように設けられ、且つ第１引掛部が形成された固定具接続部を有し、
前記固定具は、
前記固定具接続部が挿入される挿入口と、
前記固定具接続部の第１引掛部に嵌合する第２引掛部と、
前記固定具接続部の移動を規制するケース外れ防止部とを有し、
前記固定具接続部は、前記挿入口に挿入された後に前記第１引掛部と前記第２引掛部とが嵌合された状態で前記ケース外れ防止部に当接するまで移動されることにより、前記固定具に結合されることを特徴とする請求項１記載の電力量計用通信装置。
【請求項５】
前記第１ケースは第１固定用穴を有し、
前記第２ケースは第２固定用穴を有し、
前記第１固定用穴と前記第２固定用穴とを通したワイヤを封印用鉛で圧着して封印を行うことを特徴とする請求項１乃至請求項４の何れか１項記載の電力量計用通信装置。
【請求項６】
前記引込み側配電線用端子及び前記通信端子を覆う端子カバーと、
前記端子カバーを取り付けるための第１ネジと、
前記端子カバーを取り付けるための第２ネジとを更に備え、
前記第１ケースは第１固定用穴を有し、
前記第２ケースは第２固定用穴を有し、
前記第１固定用穴と前記第１ネジに形成された第１封印用穴とを通した第１ワイヤを第１封印用鉛で圧着し、且つ前記第２固定用穴と前記第２ネジに形成された第２封印用穴とを通した第２ワイヤを第２封印用鉛で圧着して封印を行うことを特徴とする請求項１乃至請求項４の何れか１項記載の電力量計用通信装置。
【請求項７】
前記引込み側配電線用端子及び前記通信端子を覆うように配置され、第１封印用穴及び第２封印用穴が形成された端子カバーを更に備え、
前記第１ケースは第１固定用穴を有し、
前記第２ケースは第２固定用穴を有し、
前記第１固定用穴と前記端子カバーに形成された第１封印用穴とを通した第１ワイヤを第１封印用鉛で圧着し、且つ前記第２固定用穴と前記端子カバーに形成された第２封印用穴とを通した第２ワイヤを第２封印用鉛で圧着することにより封印を行うことを特徴とする請求項１乃至請求項４の何れか１項記載の電力量計用通信装置。
【請求項８】
前記固定具は、固定用穴を有し、
前記電力量計は、固定用上部取り付け用穴を有し、
前記固定用穴と前記固定用上部取り付け用穴とを通したワイヤを封印用鉛で圧着することにより封印を行うことを特徴とする請求項１乃至請求項４の何れか１項記載の電力量計用通信装置。
【請求項９】
前記第１ケースは、前記第２ケースと同じ形状に形成されることを特徴とする請求項１記載の電力量計用通信装置。
【請求項１０】
前記固定具は、前記第１ケース又は前記第２ケースと一体化されていることを特徴とする請求項１記載の電力量計用通信装置。
【発明の詳細な説明】
【技術分野】
【０００１】
本発明は、通信機能付き電力量計から得られた計量データを有線又は無線により外部に伝送する電力量計用通信装置に関し、特に、電力量計用通信装置を電力量計に取り付けるための構造に関する。
【背景技術】
【０００２】
近年、電力量計の検針作業は、人が目視で電力量を確認する目視検針から、遠隔地に設置された外部データ読出装置や集中管理センタから無線又は有線の通信装置を用いて検針を行う遠隔検針へと移行しつつある。
【０００３】
このような遠隔検針を行うためのシステムとして、無線ユニットに設定される呼出番号等の特定データを自動的に設定して無線ユニットの保守・拡張を自動的に行い、しかも外部からの不正な通信介入を防止できるようにした高セキュリティ性を有する無線ユニット管理システムが知られている（例えば、特許文献１参照）。この無線ユニット管理システムは、無線ユニットのデータをデータ収集ユニットが収集して無線ユニットを管理するものであって、無線ユニットに同ユニットを特定するための特定データを複数保有させている。
【０００４】
ところで、従来の電力量計１は、図１７に示すように、耐候性の向上や外観上の美観を損なわないようにするという理由から、計器箱２、化粧ボックス、取り付け板等の筐体に収容又は取り付けられる場合が多い。しかし、筐体の大きさは電力量計１より多少大きい程度であるので、電力量計用通信装置（通信装置）３を接続しようとしても、それを収納するスペースは殆ど存在しない。
【０００５】
そこで、従来は、通信装置３を筐体の外に設置し、電力量計１と電力量計用通信装置３との間を第１ケーブル４及び第２ケーブル５によって接続している。
【特許文献１】特開平１１−２９８９７４号公報
【発明の開示】
【発明が解決しようとする課題】
【０００６】
しかしながら、上述したように、従来の電力量計用通信装置は電力量計と別個に設置されるため、広い設置面積を必要とすると共に甚だ美観に劣るので、改善が望まれている。
【０００７】
本発明は、上述した要請に応えるためになされたものであり、その目的は、狭いスペースに設置することができ、しかも外観上の美観を向上させることのできる電力量計用通信装置を提供することにある。
【課題を解決するための手段】
【０００８】
第１の発明は、使用電力量を計量する電力量計の通信端子から出力される計量データを外部に伝送する電力量計用通信装置であって、前記電力量計で計量された計量データを外部に伝送するための伝送信号入出力部が収納された第１ケースと、前記電力量計の通信端子から前記第１ケースに収納された伝送信号入出力部に前記計量データを送る第１ケーブルと、電源部が収納された第２ケースと、前記電力量計の引込み側配電線用端子と前記第２ケースに収納された電源部とを接続する第２ケーブルと、前記第２ケースに収納された電源部と前記第１ケースに収納された伝送信号入出力部とを接続する第３ケーブルと、前記第１ケースと前記第２ケースとを固定する固定具とを有し、前記電力量計の設置面に対する前記電力量計の第１側面側に前記第１ケースを配置し、前記第１側面に対向する前記電力量計の第２側面側に前記第２ケースを配置し、前記第１ケースと前記第２ケースとを連結可能な面に前記固定具を配置したことを特徴とする。
【０００９】
第２の発明は、第１の発明において、前記固定具は、前記第１ケースと第２ケースとを結ぶ線上に固定具内空洞を有し、前記第１ケース及び前記第２ケースの各々は、前記電力量計の第１側面及び第２側面側に突出するように設けられた固定具接続部を有し、前記固定具接続部の少なくとも１つは、前記固定具内空洞の内部を摺動可能に構成されていることを特徴とする。
【００１０】
第３の発明は、第２の発明において、前記固定具接続部は、先端に突起部を有する弾性体を更に備え、前記固定具は、前記突起部を収容する穴を有し、前記第１ケース及び第２ケースは、前記固定具接続部が前記固定具の固定具内空洞で摺動された後、前記固定具接続部に設けられた突起部が前記固定具の穴に収容されることにより、前記固定具に結合されることを特徴とする。
【００１１】
第４の発明は、第１の発明において、前記第１ケース及び前記第２ケースの各々は、前記電力量計の第１側面及び第２側面側に突出するように設けられ、且つ第１引掛部が形成された固定具接続部を有し、前記固定具は、前記固定具接続部が挿入される挿入口と、前記固定具接続部の第１引掛部に嵌合する第２引掛部と、前記固定具接続部の移動を規制するケース外れ防止部とを有し、前記固定具接続部は、前記挿入口に挿入された後に前記第１引掛部と前記第２引掛部とが嵌合された状態で前記ケース外れ防止部に当接するまで移動されることにより、前記固定具に結合されることを特徴とする。
【００１２】
第５の発明は、第１〜第４の発明の何れかにおいて、前記第１ケースは第１固定用穴を有し、前記第２ケースは第２固定用穴を有し、前記第１固定用穴と前記第２固定用穴とを通したワイヤを封印用鉛で圧着して封印を行うことを特徴とする。
【００１３】
第６の発明は、第１〜第４の発明の何れかにおいて、前記引込み側配電線用端子及び前記通信端子を覆う端子カバーと、前記端子カバーを取り付けるための第１ネジと、前記端子カバーを取り付けるための第２ネジとを更に備え、前記第１ケースは第１固定用穴を有し、前記第２ケースは第２固定用穴を有し、前記第１固定用穴と前記第１ネジに形成された第１封印用穴とを通した第１ワイヤを第１封印用鉛で圧着し、且つ第２固定用穴と第２ネジに形成された第２封印用穴とを通した第２ワイヤを第２封印用鉛で圧着して封印を行うことを特徴とする。
【００１４】
第７の発明は、第１〜第４の発明の何れかにおいて、前記引込み側配電線用端子及び前記通信端子を覆うように配置され、第１封印用穴及び第２封印用穴が形成された端子カバーを更に備え、前記第１ケースは第１固定用穴を有し、前記第２ケースは第２固定用穴を有し、前記第１固定用穴と前記端子カバーに形成された第１封印用穴とを通した第１ワイヤを第１封印用鉛で圧着し、且つ前記第２固定用穴と前記端子カバーに形成された第２封印用穴とを通した第２ワイヤを第２封印用鉛で圧着することにより封印を行うことを特徴とする。
【００１５】
第８の発明は、第１〜第４の発明の何れかにおいて、前記固定具は、固定用穴を有し、前記電力量計は、固定用上部取り付け用穴を有し、前記固定用穴と前記固定用上部取り付け用穴とを通したワイヤを封印用鉛で圧着することにより封印を行うことを特徴とする。
【００１６】
また、第９の発明は、第１の発明において、前記第１ケースは、前記第２ケースと同じ形状に形成されることを特徴とする。
【００１７】
更に、第１０の発明は、第１の発明において、前記固定具は、前記第１ケース又は前記第２ケースと一体化されていることを特徴とする。
【発明の効果】
【００１８】
第１の発明によれば、伝送信号入出力部を収納した第１ケースと電源部を収納した第２ケースとを別体に構成し、これらを電力量計の側面側に配置して固定具で固定するようにしたので、電力量計の周囲に狭い空きスペースしか存在しなくても、電力量計を取り外すことなく、電力量計用通信装置を簡単に設置できる。従って、従来の電力量計用通信装置より狭いスペースに設置することができ、しかも外観上の美観を向上させることができる電力量計用通信装置を提供できる。また、電力量計用通信装置の設置後に、第１ケーブルを電力量計の通信端子に、第２ケーブルを引込み側配電線用端子に接続することができるので、取り付け作業が容易になる。
【００１９】
第２の発明によれば、横幅の異なる電力量計が設置されている場合には、電力量計用通信装置の第１ケース及び第２ケースの少なくとも１つを摺動させて間隔を調整できるので、何種類もの電力量計の形状に合わせた電力量計用通信装置を用意する必要がなく、生産性を向上させることができると共に、取り扱いが便利である。
【００２０】
第３の発明によれば、第１ケース及び第２ケースは、固定具接続部が固定具の固定具内空洞で摺動された後、固定具接続部に設けられた突起部が固定具の穴に収容されることにより固定具に結合されるので、電力量計用通信装置の設置作業を短時間で行うことができ、作業性が向上する。
【００２１】
第４の発明によれば、固定具接続部は、固定具に設けられた挿入口に挿入された後に固定具接続部の第１引掛部と固定具の第２引掛部とが嵌合された状態でケース外れ防止部に当接するまで移動されるとにより固定具に結合されるので、電力量計用通信装置の設置作業を短時間で行うことができ、作業性が向上する。
【００２２】
第５〜第８の発明によれば、電力量計用通信装置を設置後に、該電力量計用通信装置と電力量計とをワイヤで封止及び固定できるので、取り付け作業性を向上させることができる。
【００２３】
第９及び第１０の発明によれば、電力量計用通信装置の製造を容易にできる構造を有するので、製造コストを低下させることができる。
【発明を実施するための最良の形態】
【００２４】
以下、本発明の実施例を図面を参照しながら詳細に説明する。なお、以下で説明する各実施例において、同一又は相当する構成部分には同一の符号を付して説明する。
【実施例１】
【００２５】
図１は本発明の実施例１に係る電力量計用通信装置を電力量計に取り付けた状態を示す外観斜視図である。
【００２６】
電力量計１は、電力量計用通信装置に計量データを送るための通信端子６及び引き込み側配電線用端子７を備えている。また、電力量計１は、箱状をなし、正面（略正方形をなす面）に対する背面（電力量計の設置面）が図示しない取り付け部に取り付けられるようになっている。
【００２７】
電力量計用通信装置は、電力量計１の設置面に対する右側面側に取り付けられた第１ケース２２、電力量計１の設置面に対する左側面側（右側面に対向した側面）に取り付けられた第２ケース２３、電力量計１の上側面（右側面と左側面とを連結する側面）に配置され且つ第１ケース２２及び第２ケース２３を電力量計１に固定する固定具２４、及び第１ケース２２と第２ケース２３とを接続する第３ケーブル１４から構成されている。第１ケース２２は、第１ケーブル１２によって電力量計１の通信端子６に接続され、第２ケース２３は、第２ケーブル１３によって電力量計１の引き込み側配電線用端子７に接続されている。
【００２８】
図２は本発明の実施例１に係る電力量計用通信装置を垂直方向に切断して示す断面図、図３はその一部分を拡大して示す拡大図である。図４は本発明の実施例１に係る電力量計用通信装置の構造の一部分を分解して示す分解斜視図、図５は残りの部分を分解して示す分解斜視図である。
【００２９】
第１ケース２２は、例えば樹脂によって構成されており、底部が開口した箱の形状を有する。この第１ケース２２は、伝送信号入出力回路基板２０を収納している。伝送信号入出力回路基板２０は、本発明の伝送信号入出力部に対応し、電力量計１で計量された計量データを受信する伝送信号入力回路及び伝送信号入力回路で受け取った計量データを有線又は無線により外部データ読出装置又は集中管理センタへ伝送する伝送信号出力回路を含む。
【００３０】
伝送信号入出力回路基板２０は、第１ケーブル１２によって電力量計１の通信端子６に接続されている。具体的には、第１ケーブル１２は、該第１ケーブル１２の一端に設けられた第１コネクタ１０をかしめることによって通信端子６に接続されている。
【００３１】
また、第１ケーブル１２（第３ケーブル１４を第１ケース２２に取り付けるための構造も同じであるので、以下では、第１ケーブル１２についてのみ説明する）の他端は、図３の拡大図に示すように、第１ケース２２の下部開口部に嵌め込まれた第１カバー１８を貫通して伝送信号入出力回路基板２０に接続されている。第１カバー１８の外側には、図３の拡大図及び図４の分解斜視図に示すように、第１ケーブル１２と第１カバー１８との間の防水対策としてＯリング１７が取り付けられている。このＯリング１７の外側には、Ｏリング１７を第１カバー１８に押圧する第１ホルダ１５が設けられており、更に、これらＯリング１７及び第１ホルダ１５を第１カバー１８との間に挟み込む形でネジ式により第１カバー１８に固定する第２ホルダ１６が設けられている。
【００３２】
上述した伝送信号入出力回路基板２０は、図４の分解斜視図に示すように、第１カバー１８の内側に突設されたガイドの溝に挿入されて固定されており、第１カバー１８は、ネジ２５によって第１ケース２２に固定されている。
【００３３】
第２ケース２３は、例えば樹脂によって構成されており、底部が開口した箱の形状を有する。この第２ケース２３は、電源回路基板２１を収納している。電源回路基板２１は、本発明の電源部に対応し、交流電圧を直流電圧に変換し変換された直流電圧を第１ケース２２内の伝送信号入出力回路基板２０に供給する。
【００３４】
電源回路基板２１は、第２ケーブル１３によって電力量計１の引込み側配電線用端子７に接続されている。具体的には、第２ケーブル１３は、該第２ケーブル１３の一端に設けられた第２コネクタ１１をかしめることによって引込み側配電線用端子７に接続されている。
【００３５】
また、第２ケーブル１３（第３ケーブル１４を第２ケース２３に取り付けるための構造も同じであるので、以下では、第２ケーブル１３についてのみ説明する）の他端は、図３に拡大して示した第１ケース２２の構造と同様に、第２ケース２３の下部開口部に嵌め込まれた第２カバー１９を貫通して電源回路基板２１に接続されている。第２カバー１９の外側には、図４の分解斜視図に示すように、第２ケーブル１３と第２カバー１９との間の防水対策としてＯリング１７が取り付けられている。このＯリング１７の外側には、Ｏリングを第２カバー１９に押圧する第１ホルダ１５が設けられており、更に、これらＯリング１７及び第１ホルダ１５を第２カバー１９との間に挟み込む形でネジ式により第２カバー１９に固定する第２ホルダ１６が設けられている。
【００３６】
上述した電源回路基板２１は、図４の分解斜視図に示すように、第２カバー１９の内側に突設されたガイドの溝に挿入されて固定されており、第２カバー１９は、ネジ２５により第２ケース２３に固定されている。
【００３７】
第１ケース２２に収納された伝送信号入出力回路基板２０と第２ケース２３に収納された電源回路基板２１とは、第３ケーブル１４によって接続されている。第３ケーブル１４と第１ケース２２とを接続する部分の構造は、第１ケーブル１２と第１ケース２２とを接続する部分の構造と同じである。また、第３ケーブル１４と第２ケース２３とを接続する部分の構造は、第２ケーブル１３と第２ケース２３とを接続する部分の構造と同じである。
【００３８】
第１ケース２２及び第２ケース２３は、かしめにより固定具２４に固定される。固定具２４は、例えば樹脂又は金属によって構成されている。
【００３９】
以上のように構成される電力量計用通信装置は、図６に示すように、電力量計１が例えば計器箱２から成る筐体内に設置されている状態で、電力量計１を取り外すことなく、固定具２４を電力量計１の上部の空きスペースに、第１ケース２２を電力量計１の正面から見て右側の空きスペースに、第２ケース２３を電力量計１の正面から見て左側の空きスペースに、電力量計１の正面方向からそれぞれ挿入して設置される。その後、第１ケーブル１２が通信端子６に、第２ケーブル１３が引込み側配電線用端子７にそれぞれ接続される。
【００４０】
図７は化粧ボックス８内に取り付けられた電力量計１の外周に電力量計用通信装置が取り付けられた状態を示す。この場合も、上述した場合と同様に、電力量計１を取り外すことなく、固定具２４、第１ケース２２及び第２ケース２３の取り付けが行われると共に、第１ケーブル１２及び第２ケーブル１３の接続が行われる。
【００４１】
以上説明したように、実施例１に係る電力量計用通信装置によれば、電力量計１が筐体内に設置されている状態で、電力量計１を取り外すことなく、空きスペースに電力量計用通信装置を設置し、また、この設置後に第１ケーブル１２や第２ケーブル１３を電力量計１に取り付けることが可能であるので、取付作業が容易になり作業効率を向上させることができる。
【００４２】
また、実施例１に係る電力量計用通信装置は、電力量計１と一緒に、例えば計器箱２といった筐体や化粧ボックス８内に収納可能になるので、従来の電力量計用通信装置より狭いスペースに設置することができ、しかも外観上の美観を向上させることができる。
【実施例２】
【００４３】
本発明の実施例２に係る電力量計用通信装置は、実施例１に係る電力量計用通信装置において、固定具２４に対する第１ケース２２及び第２ケース２３の水平方向位置を調整できることを特徴とする。
【００４４】
図８は本発明の実施例２に係る電力量計用通信装置を垂直方向に切断して示す断面図である。固定具２４の内部には、第１ケース２２と第２ケース２３とを結ぶ直線上に、固定具内空洞３０が設けられている。第１ケース２２の上部には、固定具内空洞３０に挿入されて摺動できる第１固定具接続部３１が設けられている。また、第２ケース２３の上部には、固定具内空洞３０に挿入されて摺動できる第２固定具接続部３２が設けられている。
【００４５】
以上の構成において、第１固定具接続部３１及び第２固定具接続部３２の何れか一方又は双方を固定具内空洞３０に挿入して摺動させて、第１ケース２２及び第２ケース２３の何れか一方又は双方を移動させることにより、第１ケース２２と第２ケース２３との間隔が調整される。
【００４６】
実施例２に係る電力量計用通信装置によれば、横幅の異なる電力量計１が設置されている場合には、第１ケース２２と第２ケース２３との間隔を調整して設置することができるので、汎用性を向上させることができる。
【００４７】
なお、実施例２に係る電力量計用通信装置では、第１ケース２２及び第２ケース２３の両方を水平方向に移動させることがきるように構成したが、第１ケース２２及び第２ケース２３の何れか一方だけを移動させるように構成することができる。この構成によれば、電力量計用通信装置を取り付ける労力を減少させることができ、作業性が向上する。
【実施例３】
【００４８】
本発明の実施例３に係る電力量計用通信装置は、実施例１に係る電力量計用通信装置において、固定具２４に対する第１ケース２２及び第２ケース２３の取り付けを、穴と突起部の嵌合で行うことを特徴とする。
【００４９】
図９は本発明の実施例３に係る電力量計用通信装置において第１ケースを固定具に取り付けるための構造を示す斜視図である。
【００５０】
第１ケース２２の上部の第１固定具接続部３１には、図９（Ａ）に示すように、突起部４１を有する弾性板４０が設けられている。弾性板４０は、本発明の弾性体に対応する。また、固定具２４には、突起部４１が収まる形状の第１固定穴４２及び第２固定穴４３が設けられている。現在使用されている通信機能付き電力量計の電力量計上カバー（図１１参照）は形状の小さい５Ａ及び３０Ａ用と形状の大きい１２０Ａ用との２種類が存在する。５Ａ及び３０Ａ用の電力量計１に電力量計用通信装置を取り付ける場合は第１固定穴４２に、１２０Ａ用の電力量計１に電力量計用通信装置を取り付ける場合は第２固定穴４３に突起部４１が嵌め込まれ、第１ケース２２と固定具２４とが結合される。第２ケース２３と固定具２４との結合も上記と同様の方法で行われる。
【００５１】
結合位置を変更する場合、例えば５Ａ及び３０Ａ用から１２０Ａ用に変更する場合は、図９（Ｂ）に示すように、第１固定穴４２に嵌め込まれた突起部４１を、指又はドライバ等で上から矢印４４で示す方向に押して突起部４１を第１固定穴４２から外す。そして、図９（Ｃ）に示すように、突起部４１が第２固定穴４３に対向するまで第１ケース２２を矢印４５で示す方向に手で引張って移動させる。そして、突起部４１が第２固定穴４３に対向した位置で、突起部４１は、弾性板４０の弾性により矢印４６で示す方向に移動して固定穴４３に嵌め込まれる。これにより、第１ケース２２と固定具２４とが結合される。
【００５２】
なお、第２ケース２３と固定具２４との結合位置の変更も上記と同様の方法で行われる。また、１２０Ａ用から５Ａ及び３０Ａ用に変更する場合も上記と同様の方法で結合位置の変更を行うことができる。
【００５３】
実施例３に係る電力量計用通信装置によれば、第１ケース２２及び第２ケース２３は、第１固定具接続部３１が固定具２４の固定具内空洞３０で摺動された後、第１固定具接続部３１に設けられた突起部４１が固定具２４の第１固定穴４２又は第２固定穴４３に収容されることにより固定具２４に結合されるので、電力量計用通信装置の設置作業を短時間で行うことができ、作業性が向上する。
【００５４】
なお、上述した実施例３に係る電力量計用通信装置では、固定具２４には第１固定穴４２及び第２固定穴４３といった２個の穴が設けられているが、これは現在使用されている通信機能付き電力量計の電力量計上カバー５０が５Ａ及び３０Ａ用と１２０Ａ用との２種類であるためである。従って、その他の形状を有する電力量計１が現れた場合には、その大きさに応じた位置に穴を増やすように構成できる。また、第１ケース２２と第２ケース２３の両方が移動できる場合には、上記構造が第２ケース２３側にも設けられる。
【実施例４】
【００５５】
本発明の実施例４に係る電力量計用通信装置は、実施例１に係る電力量計用通信装置において、固定具２４と第１ケース２２又は第２ケース２３との結合を凹部と凸部の嵌合により行うことを特徴とする。
【００５６】
図１０は本発明の実施例４に係る電力量計用通信装置において第１ケースを固定具に取り付けるための構造を示す斜視図である。
【００５７】
第１ケース２２の上部の第１固定具接続部３１には、図１０（Ａ）に示すように、ケースの引掛部６０が形成されている。また、固定具２４の底部には、第１ケース２２の第１固定具接続部３１が挿入される挿入口６１が設けられており、また、この挿入口６１から固定具２４の底部に沿って、その内側に張り出した固定具の引掛部６２が設けられている。また、固定具２４の底部の端部には、第１固定具接続部３１が固定具２４から外れないようにするためのケース外れ防止部６３が設けられている。
【００５８】
上記の構成において、固定具２４と第１ケース２２との結合は以下のようにして行われる。即ち、先ず、図１０（Ａ）に示すように、第１ケース２２の上部に形成された第１固定具接続部３１と固定具２４に設けられた挿入口６１とを対向させる。この状態から、第１固定具接続部３１を矢印６４の方向に動かして挿入口６１に挿入する。第１固定具接続部３１が挿入口６１に挿入された状態を図１０（Ｂ）に示す。この状態から、図１０（Ｃ）に示すように、第１ケース２２の引掛部６０を固定具２４の引掛部６２に嵌合させ、第１ケース２２を矢印６５の方向に移動させる。
【００５９】
そして、第１固定具接続部３１がケース外れ防止部６３に当接してこれ以上移動できないようになることにより固定具２４と第１ケース２２の結合は終了する。ケース外れ防止部６３は、電力量計用通信装置を電力量計１に取り付け後には第１ケース２２を外せないようにする役割を有する。第２ケース２３と固定具２４との結合も上記と同様の方法で行われる。
【００６０】
実施例４に係る電力量計用通信装置によれば、第１ケース２２は、第１固定具接続部３１が固定具２４の挿入口６１に挿入された後、第１固定具接続部３１を矢印６５の方向に移動させるだけ固定具２４に結合され、第２ケース２３も同様の方法で固定具２４に結合されるので、電力量計用通信装置の設置作業を短時間で行うことができ、作業性が向上する。
【実施例５】
【００６１】
本発明の実施例５に係る電力量計用通信装置は、実施例１〜実施例３に係る電力量計用通信装置において、第１ケース２２及び第２ケース２３の両方を一緒にワイヤで接続して封印することを特徴とする。
【００６２】
図１１は本発明の実施例５に係る電力量計用通信装置の構造を示す外観斜視図である。
【００６３】
第１ケース２２の下部には第１固定用穴５２が設けられ、第２ケース２３の下部には第２固定用穴５３が設けられている。電力量計１の電力量計上カバー５０と下部の端子カバー５１との間を通すようにして第１固定用穴５２及び第２固定用穴５３にワイヤ５４を通し、そのワイヤ５４の両端を封印用鉛５５に設けられた小穴（図示しない）に通して圧着することにより、電力量計用通信装置の封印と固定が行われる。
【００６４】
実施例５に係る電力量計用通信装置によれば、電力量計用通信装置を設置した後に電力量計１と共にワイヤ５４を用いて電力量計用通信装置を封止できるので、作業性を向上させることができる。
【実施例６】
【００６５】
本発明の実施例６に係る電力量計用通信装置は、実施例１〜実施例３に係る電力量計用通信装置において、第１ケース２２及び第２ケース２３を別個にワイヤで端子カバー取り付け用ネジに接続して封印することを特徴とする。
【００６６】
図１２は本発明の実施例５に係る電力量計用通信装置の構造を示す外観斜視図である。
【００６７】
第１ケース２２の下部には第１固定用穴５２が設けられ、第２ケース２３の下部には第２固定用穴５３が設けられている。また、端子カバー５１は、第１端子カバー取付用ネジ５６ａと第２端子カバー取付用ネジ５６ｂとにより電力量計１の本体に取り付けられている。第１端子カバー取付用ネジ５６ａには第１封印用穴５６ｃが設けられ、第２端子カバー取付用ネジ５６ｂには第２封印用穴５６ｄが設けられている。
【００６８】
第１ケース２２の第１固定用穴５２と電力量計１の第１端子カバー取付用ネジ５６ａの第１封印用穴５６ｃに第１ワイヤ５４ａを通し、その第１ワイヤ５４ａの両端を第１封印用鉛５５ａに設けられた小穴（図示しない）に通して圧着することにより、電力量計用通信装置の第１ケース２２の封印と固定が行われる。
【００６９】
同様に、第２ケース２３の第２固定用穴５３と電力量計１の第２端子カバー取付用ネジ５６ｂの第２封印用穴５６ｄに第２ワイヤ５４ｂを通し、その第２ワイヤ５４ｂの両端を第２封印用鉛５５ｂに設けられた小穴（図示しない）に通して圧着することにより、電力量計用通信装置の第２ケース２３の封印と固定が行われる。
【００７０】
実施例６に係る電力量計用通信装置によれば、電力量計用通信装置を設置した後に、電力量計１と一緒にワイヤ５４を用いて電力量計用通信装置を封印できるので、作業性を向上させることができる。更に、短いワイヤを用いて２箇所で封印を行うことで、実施例５に係る電力量計用通信装置に比べて、電力量計用通信装置の封印と固定をより確実に行うことができる。
【実施例７】
【００７１】
本発明の実施例７に係る電力量計用通信装置は、実施例１〜実施例３に係る電力量計用通信装置において、第１ケース２２及び第２ケース２３を別個にワイヤで端子カバーの穴に接続して封印するようにしたものである。
【００７２】
図１３は本発明の実施例７に係る電力量計用通信装置の構造を示す外観斜視図である。
【００７３】
第１ケース２２の下部には第１固定用穴５２が設けられ、第２ケース２３の下部には第２固定用穴５３が設けられている。また、端子カバー５１には、第１封印用穴５７ａと第２封印用穴５７ｂとが形成されている。
【００７４】
第１ケース２２の第１固定用穴５２と電力量計１の端子カバー５１に設けられた第１封印用穴５７ａに第１ワイヤ５４ａを通し、その第１ワイヤ５４ａの両端を第１封印用鉛５５ａに設けられた小穴（図示しない）に通して圧着することにより、電力量計用通信装置の第１ケース２２の封印と固定が行われる。
【００７５】
同様に、第２ケース２３の第２固定用穴５３と電力量計１の端子カバー５１の第２封印用穴５７ｂに第２ワイヤ５４ｂを通し、その第２ワイヤ５４ｂの両端を第２封印用鉛５５ｂに設けられた小穴（図示しない）に通して圧着することにより、電力量計用通信装置の第２ケース２３の封印と固定が行われる。
【００７６】
実施例７に係る電力量計用通信装置によれば、電力量計用通信装置を設置した後に、電力量計１と一緒に第１ワイヤ５４ａ及び第２ワイヤ５４ｂを用いて電力量計用通信装置を封印できるので、作業性を向上させることができる。更に、短いワイヤを用いて２箇所で封印を行うことで、実施例４に比べて電力量計用通信装置の封印と固定をより確実に行うことができる。
【実施例８】
【００７７】
本発明の実施例８に係る電力量計用通信装置は、実施例１〜実施例３に係る電力量計用通信装置において、固定具と電力量計とをワイヤで接続して封印するようにしたものである。
【００７８】
図１４は本発明の実施例８に係る電力量計用通信装置の構造を示す外観斜視図である。
【００７９】
固定具２４の上部には固定用穴５８を設けられ、電力量計１の上部には固定用上部取り付け用穴５９が設けられている。そして、固定具２４の固定用穴５８と電力量計１の固定用上部取り付け用穴５９とにワイヤ５４を通し、そのワイヤ５４の両端を封印用鉛５５に設けられた小穴（図示しない）に通して圧着することにより、電力量計用通信装置の封印と固定が行われる。
【００８０】
実施例８に係る電力量計用通信装置によれば、電力量計用通信装置を設置した後に、電力量計１と一緒にワイヤ５４を用いて電力量計用通信装置を封印できるので、作業性を向上させることができる。
【実施例９】
【００８１】
本発明の実施例９に係る電力量計用通信装置は、実施例１に係る電力量計用通信装置において、第１ケース２２と第２ケース２３とを同じ構造にしたものである。
【００８２】
図１５は本発明の実施例９に係る電力量計用通信装置のケースとカバーの構造を示す分解斜視図である。
【００８３】
第１ケース２２及び第２ケース２３は同一構造を有するケースとして製作されており、このケースが電力量計１の右側に設置された場合に第１ケース２２として使用され、左側に設置された場合に第２ケース２３として使用される。
【００８４】
また、第１カバー１８及び第２カバー１９は同一構造を有するカバーとして製作されており、このカバーが第１ケース２２に挿入された場合に第１カバー１８として使用され、第２ケース２３に挿入された場合に第２カバー１９として使用される。カバーはケースに対して回転させないで又は１８０度回転させて挿入できるようになっている。この構造により、第１ケーブル１２、第２ケーブル１３及び第３ケーブル１４が電力量計１と干渉しないようにして、第１ケーブル１２、第２ケーブル１３及び第３ケーブル１４を接続できるようになっている。
【００８５】
実施例９に係る電力量計用通信装置によれば、ケースとカバーの金型コストを半分に抑えることができる。
【実施例１０】
【００８６】
本発明の実施例１０に係る電力量計用通信装置は、実施例１に係る電力量計用通信装置において、固定具２４と第１ケース２２又は第２ケース２３とを一体化したものである。
【００８７】
図１６は本発明の実施例１０に係る電力量計用通信装置を垂直方向に切断して示す断面図である。
【００８８】
第３ケース７０は、実施例１に係る電力量計用通信装置における第２ケース２３と固定具２４とが一体化されて構成されている。この第３ケース７０に対して第１ケース２２が着脱可能になっている。第３ケース７０に第１ケース２２を接続するための構造としては、上述した実施例１〜実施例４に示した構造を採用することができる。
【００８９】
実施例１０に係る電力量計用通信装置によれば、部品点数を減らすことができるので、金型コスト及び製造コストを抑えることができる。
【産業上の利用可能性】
【００９０】
本発明は、電力量計の計量値を上位端末で自動検針する自動検針システムに適用可能である。
【図面の簡単な説明】
【００９１】
【図１】本発明の実施例１に係る電力量計用通信装置を電力量計に取り付けた状態を示す外観斜視図である。
【図２】本発明の実施例１に係る電力量計用通信装置を垂直方向に切断して示す断面図である。
【図３】図２の第１ケースの一部分を拡大して示す拡大図である。
【図４】本発明の実施例１に係る電力量計用通信装置の構造の一部分を分解して示す分解斜視図である。
【図５】本発明の実施例１に係る電力量計用通信装置の構造の他の一部分を分解して示す分解斜視図である。
【図６】本発明の実施例１に係る電力量計用通信装置を計器箱内の電力量計に取り付けた状態を示す斜視図である。
【図７】本発明の実施例１に係る電力量計用通信装置を化粧ボックス内に取り付けた状態を示す斜視図である。
【図８】本発明の実施例２に係る電力量計用通信装置を垂直方向に切断して示す断面図である。
【図９】本発明の実施例３に係る電力量計用通信装置において第１ケースを固定具に取り付けるための構造を示す斜視図である。
【図１０】本発明の実施例４に係る電力量計用通信装置において第１ケースを固定具に取り付けるための構造を示す斜視図である。
【図１１】本発明の実施例５に係る電力量計用通信装置の構造を示す外観斜視図である。
【図１２】本発明の実施例６に係る電力量計用通信装置の構造を示す外観斜視図である。
【図１３】本発明の実施例７に係る電力量計用通信装置の構造を示す外観斜視図である。
【図１４】本発明の実施例８に係る電力量計用通信装置の構造を示す外観斜視図である。
【図１５】本発明の実施例９に係る電力量計用通信装置のケースとカバーの構造を示す分解斜視図である。
【図１６】本発明の実施例１０に係る電力量計用通信装置を垂直方向に切断して示す断面図である。
【図１７】従来の計器箱、電力量計及び電力量計用通信装置の設置状態を示す外観斜視図である。
【符号の説明】
【００９２】
１  電力量計
２  筐体
６  通信端子
７  引き込み側配電線用端子
８  化粧ボックス
１０  第１コネクタ
１１  第２コネクタ
１２  第１ケーブル
１３  第２ケーブル
１４  第３ケーブル
１５  第１ホルダ
１６  第２ホルダ
１７  Ｏリング
１８  第１カバー
１９  第２カバー
２０  伝送信号入出力回路基板
２１  電源回路基板
２２  第１ケース
２３  第２ケース
２４  固定具
２５  ネジ
３０  固定具内空洞
３１  第１固定具接続部
３２  第２固定具接続部
４０  弾性板
４１  突起部
４２  第１固定穴
４３  第２固定穴
５０  電力量計上カバー
５１  端子カバー
５２  第１固定用穴
５３  第２固定用穴
５４  ワイヤ
５４ａ  第１ワイヤ
５４ｂ  第２ワイヤ
５５  封印用鉛
５５ａ  第１封印用鉛
５５ｂ  第２封印用鉛
５７ａ  第１封印用穴
５７ｂ  第２封印用穴
５８  固定用穴
５９  固定用上部取り付け用穴
６０，６２  引掛部
６１  挿入口
６３  ケース外れ防止部
７０  第３ケース
【図１】
2006275792.tif 000003
【図２】
2006275792.tif 000004
【図３】
2006275792.tif 000005
【図４】
2006275792.tif 000006
【図５】
2006275792.tif 000007
【図６】
2006275792.tif 000008
【図７】
2006275792.tif 000009
【図８】
2006275792.tif 000010
【図９】
2006275792.tif 000011
【図１０】
2006275792.tif 000012
【図１１】
2006275792.tif 000013
【図１２】
2006275792.tif 000014
【図１３】
2006275792.tif 000015
【図１４】
2006275792.tif 000016
【図１５】
2006275792.tif 000017
【図１６】
2006275792.tif 000018
【図１７】
2006275792.tif 000019